(57)【要約】      （修正有）【課題】完全脱臭の深型封水床ドレンを提供する。【解決手段】予備埋設ボックス１、封水筒２、ライニング管３および濾過システムを含み、ライニング管の下端内壁面に中間部開口を有するフローティングシーリングリング５が接続され、フローティングシーリングリングの上方にフローティングシーリングプレート６が結合して配置され、フローティングシーリングプレートの水平方向上の最大断面直径がライニング管の内径よりも小さく、且つフローティングシーリングプレートはライニング管内の任意の極端な位置に水平に移動しても、その垂直方向の投影が、フローティングシーリングリングの中間部開口を覆うことができ、既存の深型封水床ドレンの構造にフローティングシーリングリングおよびフローティングシーリングプレートを追加することにより、床ドレン中の封水用の水が完全に揮発する場合でも、完全な脱臭を実現できる。【選択図】図１
0003224913.tif 000002
【実用新案登録請求の範囲】
【請求項１】
予備埋設ボックス、封水筒、ライニング管および濾過システムを含み、
前記予備埋設ボックスは排水管の上端の床面に固定して取り付けられ、中間部に下向きに開口されドレイン通路を形成し、
前記封水筒は予備埋設ボックスの下部開口部に吊り下げられて配置され、その底端は密閉され、両側壁に排水管と連通する水出口が開設され、
前記ライニング管は封水筒の内部に同軸に吊り下げられて配置され、径方向に封水筒の内壁から一定の距離で離れ、ライニング管の上下両端に開口が設けられ、下端の水平高さが水出口の水平高さよりも低く、且つ封水筒の底部から一定の距離で離れ、
前記濾過システムは予備埋設ボックスの上部開口とライニング管の上部開口の間の領域に設置される完全脱臭の深型封水床ドレンであって、
前記ライニング管の下端の内壁面に中間部開口を有するフローティングシーリングリングが接続され、前記フローティングシーリングリングの上方にフローティングシーリングプレートが結合して配置され、
前記フローティングシーリングプレートの水平方向上の最大断面直径がライニング管の内径よりも小さく、且つフローティングシーリングプレートがライニング管内の任意の極端な位置に水平に移動しても、その垂直方向の投影がフローティングシーリングリングの中間部開口を完全に覆うことができることを特徴とする完全脱臭の深型封水床ドレン。
【請求項２】
前記濾過システムは、上から下へ順次に間隔を置いて予備埋設ボックスの異なる高さの軸肩に設置されるパネル、濾過カバーおよび下部濾過ディスクを含み、前記パネル、濾過カバーおよび下部濾過ディスクの上にそれぞれ排水穴が開設され、且つ排水穴が徐々に小さくなることを特徴とする請求項１に記載の完全脱臭の深型封水床ドレン。
【請求項３】
前記フローティングシーリングプレートは、水よりも低い密度を有する軽量材料で作られた中実または中空構造であることを特徴とする請求項２に記載の完全脱臭の深型封水床ドレン。
【請求項４】
前記フローティングシーリングリングの上面およびフローティングシーリングプレートの下面には、互いに磁気的に結合可能な磁気リングが埋め込まれることを特徴とする請求項３に記載の完全脱臭の深型封水床ドレン。
【請求項５】
前記フローティングシーリングリングの中間部開口の領域が逆円錐型の円錐台構造を有し、前記フローティングシーリングプレートの周方向に前記円錐台構造の表面と結合する封止段を有することを特徴とする請求項４に記載の完全脱臭の深型封水床ドレン。
【請求項６】
前記フローティングシーリングプレートの頂部は球状アーチ構造を有することを特徴とする請求項５に記載の完全脱臭の深型封水床ドレン。
【請求項７】
前記フローティングシーリングプレートの周方向の封止段は、その頂部の球状アーチ構造との間に少なくとも１つの内部へ窪む補助構造が形成され、それぞれの補助構造は少なくとも１つの直線段を含むことを特徴とする請求項６に記載の完全脱臭の深型封水床ドレン。
【請求項８】
ロッドを介してフローティングシーリングプレートの底面に接続される下カバーを有する逆流防止構造をさらに含み、
フローティングシーリングプレートはライニング管内の任意の極端な位置に水平に移動しても、下カバーの垂直方向の投影が完全にフローティングシーリングリングの中間部開口を覆い、
前記ロッドと下カバーの垂直方向上の高さ寸法については、
床ドレンが通常封水されている場合、下カバーとフローティングシーリングリングの下面の間に一定の距離があり、
フローティングシーリングプレートがフローティングシーリングリングの中間部開口を密閉する場合、下カバーと封水筒底部との間に一定の距離がある条件を満たすことを特徴とする請求項７に記載の完全脱臭の深型封水床ドレン。
【考案の詳細な説明】
【技術分野】
【０００１】
本考案は、建築構造物の分野に属し、具体的には、完全脱臭の深型封水床ドレンに関する。
【背景技術】
【０００２】
床ドレンは、排水管路システムと屋内の地面の間の重要な接続部品であり、住宅中の排水システムの重要な部品として、その性能は屋内の空気品質に直接影響する。異なる応用シーンでは異なる床ドレンを選択し、現在、一般的な住宅用床ドレンは、主に偏心ブロック型下向きフリップボード床ドレンおよび深型封水床ドレンという２つのカテゴリに分類される。偏心ブロック型下向きフリップボード床ドレンは、Ｔ型床ドレンとも呼ばれ、通水断面が大きく、排水速度が速いものの、髪の毛などの汚れ物によって詰まり、下向きフリップボードが詰まると脱臭効果がなくなるため、偏心ブロック型下向きフリップボード床ドレンは、主にバルコニー、キッチンなどの髪の毛が少なく、排水速度が速く、排水量も大きい箇所に用いられ、深型封水床ドレンは、Ｕ字型床ドレンとも呼ばれ、その排水路はＵ字型であり、排水速度が遅いが、その構造形状による封水効果によって、良好な封水脱臭を実現でき、且つ分解および洗浄が容易であり、髪の毛が詰まりにくいため、一般に排水速度が必要で髪の毛の汚れ物が多いバスルームなどで使用される。しかしながら、従来の深型封水床ドレンは完全な脱臭とは言えず、そのＵ字型の管道内に保存された水が完全に揮発すると（例えばバスルームを長期間使用しない場合、または天候が暑い場合）、深型封水床ドレンの封水効果がなくなり、下水道の臭気が上がり、バスルーム全体の空気品質に悪影響を与える。
【０００３】
この問題を解決するために、中国実用新案ＣＮ２０６９５６８９８Ｕでは、封水筒内にフローティングシールを設けることにより、封水の揮発速度を低下させる改良された強化封水床ドレンを開示したが、単に水の揮発速度を遅らせ、封水効果を長引かせ、バスルームを長期間使用せず、且つ天候が非常に暑い場合に、封水用の水がやはり完全に揮発し、このような極端な場合、該実用新案のフローティングシールは底に沈み、下水管路と床ドレンの上側の屋内空気とは依然して連通し、完全な脱臭効果を取得できない。
【０００４】
また、永久磁石を使用して下水管口の開閉を制御して完全な密閉と脱臭を達成する技術もあるが、例えば、中国特許ＣＮ１０１７４８７８４Ｂでは、水の重量が磁力よりも大きい場合、密閉板が下向きに開き、水の重量が磁力よりも小さくなるまで排水し、密閉板が上向きに吸引され閉じる自動密閉型深型封水床ドレンを開示した。該特許技術に開示された床ドレン構造については、少なくとも３つの改善点がある。第１に、２つの永久磁石をセットするためのガイドポストスリーブが密閉構造の場合、永久磁石とそれに接続された密閉板が上下に移動する時に、注射器のように一端が密閉されると他端を引き出したり押したりするのが非常に難しくなるように、気圧のため移動が非常に難しいので、該特許の実際の使用効果が良くない一方、２つの永久磁石をセットするためのガイドポストスリーブが非密閉構造の場合、ガイドポストスリーブ内に水や他の汚れが浸入しやすいので、磁力吸引効果にも悪い影響を与える。第２に、水の重量によって磁力を克服して密閉板の開閉を制御する方法には、磁力及びシリンダーの容積を正確に設計する必要があり、このように設計の難易度が高くなり、特に床ドレンの異なりによって異なる計算および設計が必要である。第３に、水の重量と磁力によって密閉板の開閉を制御することによって密閉脱臭を実現することができるので、その下端の封水構造は実際に冗長設計であり、実用性はこれ以上ない。
【考案の概要】
【考案が解決しようとする課題】
【０００５】
上記に鑑みて、本考案の目的は、完全脱臭の深型封水床ドレンを提供し、従来の深型封水床ドレン構造を最適化および改善して、床ドレンの封水用の水が完全に揮発する場合でも、完全な脱臭を達成するのを確保し、同時に、既存の深型封水床ドレン構造に対する改造量が小さく、適用範囲が広く、動作原理が合理的であり、且つ既存の封水技術を最大限に活用し、冗長設計を回避するのを確保できる。
【課題を解決するための手段】
【０００６】
上記の目的を達成するために、本考案は以下の技術的解決策を提供する。
【０００７】
予備埋設ボックス、封水筒、ライニング管および濾過システムを含み、上記予備埋設ボックスは排水管の上端の床面に固定して取り付けられ、中間部に下向きに開口されドレイン通路を形成し、上記封水筒は予備埋設ボックスの下部開口部に吊り下げられて配置され、その底端は密閉され、両側壁に排水管と連通する水出口が開設され、上記ライニング管は封水筒の内部に同軸に吊り下げられて配置され、径方向に封水筒の内壁から一定の距離で離れ、ライニング管の上下両端に開口が設けられ、下端の水平高さが水出口の水平高さよりも低く、且つ封水筒の底部から一定の距離で離れ、上記濾過システムは予備埋設ボックスの上部開口とライニング管の上部開口の間の領域に設置され、上記ライニング管の下端の内壁面に中間部開口を有するフローティングシーリングリングが接続され、上記フローティングシーリングリングの上方にフローティングシーリングプレートが結合して配置され、上記フローティングシーリングプレートの水平方向上の最大断面直径がライニング管の内径よりも小さく、且つフローティングシーリングプレートがライニング管内の任意の極端な位置に水平に移動しても、その垂直方向の投影がフローティングシーリングリングの中間部開口を完全に覆うことができる完全脱臭の深型封水床ドレンである。
【０００８】
好ましくは、上記濾過システムは、上から下へ順次に間隔を置いて予備埋設ボックスの異なる高さの軸肩に設置されるパネル、濾過カバーおよび下部濾過ディスクを含み、上記パネル、濾過カバーおよび下部濾過ディスクの上にそれぞれ排水穴が開設され、且つ排水穴が徐々に小さくなる。
好ましくは、上記フローティングシーリングプレートは、水よりも低い密度を有する軽量材料で作られた中実または中空構造である。
【０００９】
好ましくは、上記フローティングシーリングリングの上面およびフローティングシーリングプレートの下面には、互いに磁気的に結合可能な磁気リングが埋め込まれる。
【００１０】
好ましくは、上記フローティングシーリングリングの中間部開口の領域が逆円錐型の円錐台構造を有し、上記フローティングシーリングプレートの周方向に上記円錐台構造の表面と結合する封止段を有する。
【００１１】
好ましくは、上記フローティングシーリングプレートの頂部は球状アーチ構造を有する。
【００１２】
好ましくは、上記フローティングシーリングプレートの周方向の封止段は、その頂部の球状アーチ構造との間に少なくとも１つの内部へ窪む補助構造が形成され、それぞれの補助構造は少なくとも１つの直線段を含む。
【００１３】
好ましくは、ロッドを介してフローティングシーリングプレートの底面に接続される下カバーを有する逆流防止構造をさらに含み、フローティングシーリングプレートはライニング管内の任意の極端な位置に水平に移動しても、下カバーの垂直方向の投影が完全にフローティングシーリングリングの中間部開口を覆い、上記ロッドと下カバーの垂直方向上の高さ寸法については、床ドレンが通常封水されている場合、下カバーとフローティングシーリングリングの下面の間に一定の距離があり、フローティングシーリングプレートがフローティングシーリングリングの中間部開口を密閉する場合、下カバーと封水筒底部との間に一定の距離がある条件を満たす。
【考案の効果】
【００１４】
本考案は、既存の深型封水床ドレンの構造に、フローティングシーリングリングおよびフローティングシーリングプレートを追加することによって、床ドレン中の封水用の水が完全に揮発する場合でも、完全な脱臭を実現でき、改造量が小さく、適用範囲が広く、動作原理が合理的であり、冗長な設計がないなどの有益な効果を有する。
【図面の簡単な説明】
【００１５】
本考案の目的、技術的解決策および有益な効果をより明確にするために、本考案は説明のために以下のような図面を提供する。
【図１】実施例１における通常封水状態を示す模式図である。
【図２】実施例１における密閉臨界状態を示す模式図である。
【図３】実施例１における浮上臨界状態を示す模式図である。
【図４】実施例２における密閉臨界状態を示す模式図である。
【図５】図４中の下側の部分拡大模式図である。
【図６】実施例３における浮上臨界状態を示す模式図である。
【図７】図６中のＭ領域の部分拡大模式図である。
【図８】実施例４における通常封水状態を示す模式図である。
【図９】実施例４における密閉臨界状態を示す模式図である。
【図１０】実施例４における逆流防止臨界状態を示す模式図である。
【図１１】実施例４における極端な逆流状態を示す模式図である。
【図１２】実施例４における逆流解消後の排水状態を示す模式図である。
【考案を実施するための形態】
【００１６】
以下、添付図面を参照して本考案の好ましい実施例を詳細に説明する。
実施例１
図１〜３に示すように、完全脱臭の深型封水床ドレンは、予備埋設ボックス１、封水筒２、ライニング管３および濾過システムを含む。上記予備埋設ボックス１は排水管（図中未示出）の上端の床面に固定して取り付けられ、その上面が住宅の地面以下であり、中間部が下向きに開口されドレイン通路を形成し、上記封水筒２が予備埋設ボックス１の下部開口部に吊り下げられて配置され、その底端が密閉され、両側壁に排水管と連通する水出口４が開設され、上記ライニング管３は封水筒２の内部に同軸に吊り下げられて配置され、且つ通常の排水通水のために径方向に封水筒２の内壁から一定の距離で離れ、ライニング管３の上下両端に開口が設けられ、下端の水平高さが水出口４の水平高さよりも低く、且つ封水領域を形成するように封水筒２の底部から一定の距離で離れ、上記濾過システムは水流に対するスラグフィルターを形成するように予備埋設ボックス１の上部開口とライニング管３の上部開口の間の領域に設置され、上記ライニング管３の下端の内壁面に中間部開口を有するフローティングシーリングリング５が溶接や一体成形によって接続され、上記フローティングシーリングリング５の上方にフローティングシーリングプレート６が結合して配置され、水流がライニング管３内を詰まらずに封水筒２内へ流れるように上記フローティングシーリングプレート６の水平方向上の最大断面直径がライニング管３の内径よりも小さく、且つフローティングシーリングプレート６がライニング管３内の任意の極端な位置に水平に移動しても、その垂直方向の投影がフローティングシーリングリング５の中間部開口を完全に覆い、フローティングシーリングプレート６をいずれの形式でフローティングシーリングリング５の上面に結合しても、フローティングシーリングリング５の開口を覆い、ライニング管３を密閉することを確保することができる。
【００１７】
さらに、本実施例では使用される濾過システムは、上から下へ順次に間隔を置いて予備埋設ボックス１の異なる高さの軸肩に設置されるパネル７、濾過カバー８および下部濾過ディスク９を含む。パネル７の上面と予備埋設ボックス１の上面とが面一であり、上記パネル７、濾過カバー８および下部濾過ディスク９の上にそれぞれ排水穴が開設され、かつ排水穴が徐々に小さくなり、濾過システムでは濾過能力が徐々に向上する三重濾過方式を採用し、ライニング管３内に流入する水流がより清潔で、汚れ物がより少なく、フローティングシーリングプレート６、フローティングシーリングリング５での固体汚れ物による詰まりを回避し、最終的に本深型封水床ドレンの通常使用を確保する。
【００１８】
さらに、本実施例で使用されるフローティングシーリングプレート６は水よりも低い密度を有する軽量材料、例えばポリエチレンからなるプラスチック材料で作られた中実構造であり、本実施例のフローティングシーリングプレート６は扁平な円形ブロック形状を有する。
【００１９】
動作原理については、図１に示すように、該床ドレンが通常に動作する時に、排出された水流が予備埋設ボックス１からパネル７、濾過カバー８および下部濾過ディスク９を介して順次にスラグ除去し濾過された後、ライニング管３に流入して封水筒２に蓄積され、封水筒２内の水位が水出口４の下開口の縁よりも高くなると、水流が水出口４から溢れ出し、水出口４と連通する排水管内に流入し、次の排出手順に移行する。この時、床ドレンから排出される下水がなくなると、床ドレンの封水筒２とライニング管３内の水位が平衡状態に達し、通常の封水を形成する。
【００２０】
図２に示すように、バスルームを長時間使用せず、天候が非常に暑い場合、床ドレン中の封水用の水が徐々に揮発し、封水筒２とライニング管３とが連通しているので、その内の封水用の水位も徐々に低下し、この時フローティングシーリングプレート６のライニング管３での高さも徐々に低下し、水がフローティングシーリングプレート６の下面とフローティングシーリングリング５の上面とが一致するまで揮発する、すなわち密閉臨界状態に達すると、フローティングシーリングプレート６はフローティングシーリングリング５と協力してライニング管３の下端開口を密閉し、すなわちライニング管３を封水筒２から隔離させ、ライニング管３内の水が完全に揮発し乾燥するか、封水筒２内の水が完全に揮発し乾燥しても、排水管路からの臭気がライニング管３を介して屋内に拡散せず封水筒２内に保留し、完全な脱臭を実現することができる。
【００２１】
床ドレンを図２の状態から図１の通常動作状態に回復することが望ましい場合、床ドレンを使用し、排出する必要がある水が床ドレンに流入すればよく、ライニング管３内の水位が徐々に上昇し、その内の水の浮力によりちょうどライニング管３を持ち上げ、図３に示すように、ライニング管３内の水位が浮上臨界状態に達し、フローティングシーリングプレート６が図３中のａ方向に沿って移動し、排出する水流がフローティングシーリングプレート６とライニング管３、フローティングシーリングリング５の間の隙間から流れ、即ち図３中のｂ方向に流れ、長時間排水した後、床ドレン中の状態が図３の状態から図１の状態に回復し、通常の排水と封水の平衡状態を達成する。
【００２２】
以上のように、本実施例に記載の完全脱臭の深型封水床ドレンによれば、既存の深型封水床ドレン構造にフローティングシーリングリング５およびフローティングシーリングプレート６という２つの構造を追加すればよく、改造量も小さいので、水の重量により磁力を克服することによって排水路の開閉を制御する方式に比べて、動作原理がより簡単であり、複雑な計算、設計がなく、適用範囲が広く、普及しやすく、且つ既存の封水技術を最大限に活用し、冗長設計を回避し、非常に経済的で実用的である。
【００２３】
実施例２
図４、５に示すように、実施例１と異なり、本実施例では、フローティングシーリングリング５の上面とフローティングシーリングプレート６の下面に、互いに磁気的に結合可能な磁気リング１０が埋め込まれ、磁気リング１０によってフローティングシーリングリング５とフローティングシーリングプレート６の間の結合効果および密閉堅牢性が増大する。設計中、ここでは過剰な磁力のある磁気リング１０を使用せず、フローティングシーリングプレート６はライニング管３内に完全に水を満たした後、生成した浮力がフローティングシーリングプレート６の重量及び磁気リング１０との間の磁力を克服可能であり、フローティングシーリングプレート６に床ドレンを乾燥状態から通常使用状態にスムーズに回復するのを確保する。
【００２４】
実施例３
図６、７に示すように、実施例２と異なり、本実施例では、フローティングシーリングリング５の中間部開口の領域が逆円錐型の円錐台構造を有し、上記フローティングシーリングプレート６の周方向に上記円錐台構造の表面と結合する封止段６１を有する。フローティングシーリングプレート６とフローティングシーリングリング５とが円錐台構造の傾斜面によって結合され、同様の水平距離であれば、実施例１、２よりも大きい結合面を有するので、結合後の密閉性が向上し、且つ逆円錐型の円錐台構造によって、フローティングシーリングプレート６の降下過程中、一定のガイド性も有し、結合後の密閉性も同様に確保できる。
【００２５】
図６、７に示すように、さらに、本実施例で使用されるフローティングシーリングプレート６の頂部は球状アーチ構造を有し、フローティングシーリングプレート６は中空構造に一体成形される。フローティングシーリングプレート６の頂部の球状アーチ構造の設計によって、実施例１、２のフローティングシーリングプレート６の扁平な円形ブロック形状の構造設計よりも、水流がフローティングシーリングプレート６の上面に溜まるのを防ぎ、水流の排出速度を高め、良い排出性を有する。
【００２６】
図６、７に示すように、さらに、本実施例で使用されるフローティングシーリングプレート６の周方向の封止段６１とその頂部の球状アーチ構造の間に内部へ窪む補助構造を有し、それぞれの補助構造は１つの直線段６２、および１つの傾斜段を含む。本実施例中のフローティングシーリングプレート６の周方向の円錐台状、頂部の球状アーチという特別構造によって、ライニング管３内の水位が浮上臨界状態に達すると、フローティングシーリングプレート６は浮力を受けるための支持面を欠いているので、直線段６２を含む補助構造を設計し、浮力がうまく直線段６２に作用し、垂直上向きの浮力、例えば図６、７のようなｃ方向の浮力を生成し、フローティングシーリングプレート６が受けた浮力によってフローティングシーリングプレート６の重量及び磁気リング１０の磁力をスムーズに克服し、床ドレンを密閉状態から通常動作状態にスムーズに回復させることができる。
【００２７】
実施例４
図８〜１２に示すように、実施例３と異なり、本実施例では逆流防止構造をさらに含む。上記逆流防止構造は、ロッド１１を介してフローティングシーリングプレート６の底面に接続される下カバー１２を有し、フローティングシーリングプレート６はライニング管３内の任意の極端な位置に水平に移動しても、下カバー１２の垂直方向の投影が完全にフローティングシーリングリング５の中間部開口を覆い、寸法設計の原理についても、フローティングシーリングプレート６と同様に、下カバー１２をいずれの形式でフローティングシーリングリング５の下面に結合しても、フローティングシーリングリング５の開口を覆い、ライニング管３を密閉し逆流を防止するのを確保でき、上記ロッド１１と下カバー１２の垂直方向上の高さ寸法については、床ドレンが通常封水されている場合、下カバー１２とフローティングシーリングリング５の下面との間に一定の距離があり、図８に示すように、水流をスムーズに排出させ、フローティングシーリングプレート６が密閉臨界状態になり、フローティングシーリングリング５の中間部開口が密閉される場合、下カバー１２と封水筒２の底部との間に一定の距離があり、図９に示すように、フローティングシーリングプレート６の押し上げによる密閉作用の弱化を回避することがきる。
【００２８】
詰まりなどの不具合により排水管が逆流し始めると、逆流した下水が水出口４を介して封水筒２及びライニング管３内へ連続的に戻り、最終的に水位が上昇するため、フローティングシーリングプレート６、ロッド１１と下カバー１２も持ち上げられ、図１０中の逆流防止臨界状態まで水位が高くなると、下カバー１２はフローティングシーリングリング５の開口を下端から覆って閉じ、ライニング管３と封水筒２を隔離させ、封水筒２内の水位が図１１のような極端逆流状態まで上昇し続けても、ライニング管３中の水位が上昇し続けないので、下水が予備埋設ボックス１から屋内に逆流することなく、排水管の不具合の場合の屋内環境衛生を保障することができる。
【００２９】
排水管の詰まりなどの不具合が解消され、例えば下水管路システムが浚渫されると、封水筒２内の水位が自然に水出口４の下の縁の高さまで低下し、この時ライニング管３中の水位が封水筒２内の水位よりも高く、下カバー１２によってフローティングシーリングリング５、封水筒２およびライニング管３が隔離状態のままであり、この場合パネル７、濾過カバー８、下部濾過ディスク９のみを個別に取り外して、棒状の硬い物（箸など）でフローティングシーリングプレート６を図１２のｄ方向に下向きに押すと、ライニング管３に溜まった水が図１２のｅ方向に沿って封水筒２内に排出され、図８の通常使用、通常封水の状態まで回復することができる。もちろん、パネル７、濾過カバー８、下部濾過ディスク９を取り外さずに、排水穴から数本の細いワイヤーを引き下げ、フローティングシーリングプレート６を図１２のｄ方向に下向きに押してもよい。
【００３０】
既存の深型封水床ドレンの構造に対する改善の便利性を確保するために、ロッド１１の両端をネジ状に設計して、フローティングシーリングプレート６、下カバー１２上のネジ穴にそれぞれ螺合して接続させてもよい。また、下カバー１２もフローティングシーリングプレート６と同様な構造に設計してもよく、水平方向にフローティングシーリングプレート６と対称に配置され、例えば、フローティングシーリングリング５の下面を円錐台状に設計し、下カバー１２の上面を対応の円錐台状に設計して、下カバー１２とフローティングシーリングリング５の結合面の間にも磁気リングを埋め込み、密閉性能を向上させてもよい。そして、同様な設計では、部品の数や金型の開口部の数が少なくなり、設計および製造コストが低下する。フローティングシーリングプレート６、下カバー１２の形状を統一すると、両部材は実際に１つの部材となり、部品の数が少なくなり、生産性が向上する。
【００３１】
最後に、以上の好ましい実施例は限定するものではなく本考案の技術的解決策の単なる例示であり、上記の好ましい実施例によって本考案を詳細に説明したが、当業者にとっては、本考案の範囲から逸脱することなく上記の形式および詳細にさまざまな変更が行われることを理解されたい。
【符号の説明】
【００３２】
１    予備埋設ボックス
２    封水筒
３    ライニング管
４    水出口
５    フローティングシーリングリング
６    フローティングシーリングプレート
６１    封止段
６２    直線段
７    パネル
８    濾過カバー
９    下部濾過ディスク
１０    磁気リング
１１    ロッド
１２    下カバー
【図１】
0003224913.tif 000003
【図２】
0003224913.tif 000004
【図３】
0003224913.tif 000005
【図４】
0003224913.tif 000006
【図５】
0003224913.tif 000007
【図６】
0003224913.tif 000008
【図７】
0003224913.tif 000009
【図８】
0003224913.tif 000010
【図９】
0003224913.tif 000011
【図１０】
0003224913.tif 000012
【図１１】
0003224913.tif 000013
【図１２】
0003224913.tif 000014